(57)【特許請求の範囲】
【請求項１】
相手側コネクタハウジングに収容された一方の端子と電気的に接続する他方の端子を収容するコネクタハウジングと、該コネクタハウジングを覆うシールドシェルと、前記コネクタハウジングを収容したシールドシェルが締結部材により取り付けられる被取付部と、を備えたシールドシェルの取付構造であって、
前記シールドシェルは、前記被取付部の、前記コネクタハウジングの挿入孔を有する第１の被取付面に当接する第１の取付片と、該第１の取付片の端部から前記第１の被取付面側に対して反対側に突設して前記被取付部の第２の被取付面に当接する第２の取付片とを有し、
前記第２の被取付面は、前記第１の被取付面から突設された部材に設けられたものであり、
前記第１の取付片と前記第２の取付片とのなす第１の角度は、前記第１の被取付面と前記第２の被取付面とのなす第２の角度よりも大きく設定され、
前記第１の取付片の取付面を第１の被取付面に圧接させる弾性復元力を備えた状態で第２の取付片が第２の被取付面に弾接するように、前記第２の取付片が締結部材により前記第２の被取付面と締結されていることを特徴とするシールドシェルの取付構造。
【請求項２】
相手側コネクタハウジングに収容された一方の端子と電気的に接続する他方の端子を収容するコネクタハウジングを覆って締結部材の締め付けにより被取付部に取り付けられるシールドシェルであって、
前記被取付部の、前記コネクタハウジングの挿入孔を有する第１の被取付面に当接する取付面を有する第１の取付片と、該第１の取付片の端部から前記第１の被取付面側に対して反対側に突設して前記被取付部の第２の被取付面に当接する第２の取付片とを有し、
前記第２の被取付面は、前記第１の被取付面から突設された部材に設けられたものであり、
前記第１の取付片と前記第２の取付片とのなす第１の角度は、前記第１の被取付面と前記第２の被取付面とのなす第２の角度よりも大きく設定され、
前記第２の取付片には、前記第２の取付片と前記第２の被取付面とを締結する前記締結部材が挿入される締結孔が形成されていることを特徴とするシールドシェル。
【発明の詳細な説明】
【技術分野】
【０００１】
本発明は、電線端末の端子を収容するコネクタハウジングを覆うシールドシール、及び、このシールドシェルと、シールドシェルが締結部材により取り付けられる被取付部とを備えたシールドシェルの取付構造に関する。
【背景技術】
【０００２】
従来から、電線端末の端子を収容するコネクタハウジングを覆うシールドシールを被取付部に取り付ける構造として、図５及び図６に示すシールドシェルの取付構造が提案されている。
【０００３】
図５及び図６は、従来のシールドシェルの取付構造を示す図であり、図５は、従来のシールドシェルコネクタを示す斜視図である。図６は、従来のシールドシェルの取付構造を示す側面図である。
【０００４】
図５及び図６に示すように、シールドシェルの取付構造１００は、コネクタハウジング１１１及びシールドシェル１２１とを備えるシールドシェルコネクタ１１０と、シールドシェルコネクタ１１０が取り付けられる被取付部１７０とから略構成されている。
【０００５】
図５に示すように、シールドシェルコネクタ１１０は、コネクタハウジング１１１と、コネクタハウジング１１１を覆うシールドシェル１２１と、シールドシェル１２１内に収容されるリアホルダ１３１と、コネクタハウジング１１１に収容される端子１４１と、端子１４１を係止するフロントホルダ１５１とから構成されている。
【０００６】
コネクタハウジング１１１は、シールドシェル１２１に係止する係止ロック１１４を有している。また、シールドシェル１２１は、ネジ１６０が挿入されるネジ孔１２９を有している。
【０００７】
上述したように構成されたシールドシェルコネクタ１１０は、図５及び図６に示すように、コネクタハウジング１１１に端子１４１を収容した状態で、コネクタハウジング１１の一側を係止ロック１１４によりシールドシェル１２１に係止して収容し、他側にフロントホルダ１５１を嵌合することにより組み付ける。
【０００８】
そして、図６に示すように、組み付けたシールドコネクタ１１０を、ネジ孔１２９に対するネジ１６０の締め付けによってシールドコネクタ１１０と被取付部１７０とを締結して取り付ける。これにより、シールドシェル１２１と被取付部１７０との接圧を得て、シールドコネクタ１１０のシール性能を確保している。
【０００９】
ところで、上述した従来のシールドシェルの取付構造１００は、図５に示すように、ネジ１６０の締付力が働くシールドシェル１２１の４箇所において、シールドシェル１２１の被取付部１７０に対する接圧を得ている。このため、シールドシェル１２１の全体に亘って被取付部１７０に対する接圧を得るのが難しかった。
【００１０】
そこで、シールドシェルも全体を十分な接圧で被取付部に取り付けるために、本願出願人によって、特開２００９−１２３５１９号公報（特許文献１）に記載されたシールドシェルの取付構造が提案されている。
【００１１】
図７及び図８は、特許文献１に記載されたシールドコネクタの取付構造を示す図であり、図７は、特許文献１に記載されたシールドシェルを示す側面図である。図８は、特許文献１に記載されたシールドコネクタの取付構造を示す側面図である。
【００１２】
図７及び図８に示すように、シールドシェルの取付構造２００は、被取付部２７０側に突出する固定片２２３と、被取付部２７０と当接して弾性変形する弾性片２２５を有するシールドシェル２２１を有するシールドシェルコネクタ２１０を備えている。
【００１３】
そして、図８に示すように、固定片２２３を被取付部２７０の上面に重ねて、上方からネジ２６０で締め付けて締結することによりシールドシェル２２１を被取付部２７０に取り付ける。
【００１４】
このように、ネジ２６０を締め付けて固定片２２３を被取付部２７０に締結すると、固定片２２３の反対側に設けられた弾性片２２５が被取付部２７０を押圧するため、シールドシェル２２１の全体に亘って被取付部２７０との接圧を得ることができる。
【先行技術文献】
【特許文献】
【００１５】
【特許文献１】特開２００９−１２３５１９号公報
【発明の概要】
【発明が解決しようとする課題】
【００１６】
ところで、上述した従来のシールドシェルの取付構造２００では、図７に示すように、固定片２２３が被取付部２７０の壁面に向けて突出している。このため、被取付部２７０の厚さ方向に垂直な方向にネジ２６０を挿入するためのネジ孔を被取付部２７０に設けることになる。よって、ネジ２６０に対応する径のネジ孔を設けるために、被取付部２７０の厚さをネジの径よりも大きくする必要がある。
【００１７】
また、図７に示すように、固定片２２３がシールドシェル２２１の内側に傾いているので、ネジ２６０の締付力を強めるにしたがって、シールドシェル２２１の被取付部２７０に対する取り付け姿勢が、図７中右肩下がりの向きに傾く。
【００１８】
これに対して、シールドシェル２２１との接触支持関係がない内部のコネクタハウジング（図示省略）の姿勢は、相手側のコネクタハウジング（図示省略）との嵌合状態によって決まる。よって、ネジ２６０の締付力を強めても、シールドシェル２２１内のコネクタハウジングの姿勢は傾かない。
【００１９】
このため、本願出願人の提案したシールドシェル２２１では、内部のコネクタハウジングとの干渉を避けるのに十分な内部空間を確保している。
【００２０】
そこで、本発明は、被取付部に対する取付時の接圧を全体に亘って確保するという従来の課題を解決しつつ、さらに、シールドシェルの小型化を図ることができるシールドシェル及びシールドシェルの取付構造を提供することを目的とする。
【課題を解決するための手段】
【００２１】
上記目的を達成するため、本願請求項１に記載した本発明のシールドシェルの取付構造は、相手側コネクタハウジングに収容された一方の端子と電気的に接続する他方の端子を収容するコネクタハウジングと、該コネクタハウジングを覆うシールドシェルと、前記コネクタハウジングを収容したシールドシェルが締結部材により取り付けられる被取付部と、を備えたシールドシェルの取付構造であって、前記シールドシェルは、前記被取付部の、前記コネクタハウジングの挿入孔を有する第１の被取付面に当接する第１の取付片と、該第１の取付片の端部から前記第１の被取付面側に対して反対側に突設して前記被取付部の第２の被取付面に当接する第２の取付片とを有し、前記第２の被取付面は、前記第１の被取付面から突設された部材に設けられたものであり、前記第１の取付片と前記第２の取付片とのなす第１の角度は、前記第１の被取付面と前記第２の被取付面とのなす第２の角度よりも大きく設定され、前記第１の取付片の取付面を第１の被取付面に圧接させる弾性復元力を備えた状態で第２の取付片が第２の被取付面に弾接するように、前記第２の取付片が締結部材により前記第２の被取付面と締結されていることを特徴とする。
【００２２】
請求項２に記載した本発明のシールドシェルは、相手側コネクタハウジングに収容された一方の端子と電気的に接続する他方の端子を収容するコネクタハウジングを覆って締結部材の締め付けにより被取付部に取り付けられるシールドシェルであって、前記被取付部の、前記コネクタハウジングの挿入孔を有する第１の被取付面に当接する取付面を有する第１の取付片と、該第１の取付片の端部から前記第１の被取付面側に対して反対側に突設して前記被取付部の第２の被取付面に当接する第２の取付片とを有し、前記第２の被取付面は、前記第１の被取付面から突設された部材に設けられたものであり、前記第１の取付片と前記第２の取付片とのなす第１の角度は、前記第１の被取付面と前記第２の被取付面とのなす第２の角度よりも大きく設定され、前記第２の取付片には、前記第２の取付片と前記第２の被取付面とを締結する前記締結部材が挿入される締結孔が形成されていることを特徴とする。
【発明の効果】
【００２３】
請求項１に記載した本発明のシールドシェルの取付構造によれば、シールドシェルは、被取付部の、コネクタハウジングの挿入孔を有する第１の被取付面に当接する第１の取付片と、第１の取付片の端部から第１の被取付面側に対して反対側に突設して被取付部の第２の被取付面に当接する第２の取付片とを有している。このため、第２の取付片に締結部材を挿入する孔を設定しても、被取付部に形成する締結部材の取り付けスペースは、コネクタハウジングの挿入孔の貫通方向と一致する第１の被取付面の厚さの大小に係らず確保できる。
【００２４】
また、第２の取付片を締結部材により第２の被取付面と締結することにより、第１の取付片の全体に亘って第１の被取付面との接圧を確保することができる。
【００２５】
さらに、第２の被取付面に第２の取付片を弾接した状態で、第２の取付片を第２の被取付面と締結することができるため、簡単にシールドシェルを被取付部に取り付けることができる。
【００２６】
また、第１の取付片の取付面を第１の被取付面に圧接させる弾性復元力を備えた状態で第２の取付片が第２の被取付面に弾接するように、シールドシェルが被取付部に取り付けられている。このため、締結部材の締結力を変えても、第１の被取付面に対するシールドシェルの姿勢は変わらない。よって、第１の被取付面に対する接圧がシールドシェル（シールドシェルの第１の取付片）の全体に亘って確保されるように、締結部材でシールドシェルを被取付部に取り付けても、シールドシェルがコネクタハウジングと干渉することがなく、シールドシェルを大型する必要がない。
【００２７】
従って、被取付部に対する取付時の接圧を全体に亘って確保しつつ、シールドシェルの小型化を図ることができるシールドシェルの取付構造を提供することができる。
【００２８】
請求項２に記載した本発明のシールドシェルによれば、シールドシェルは、被取付部の、コネクタハウジングの挿入孔を有する第１の被取付面に当接する第１の取付片と、第１の取付片の端部から第１の被取付面側に対して反対側に突設して被取付部の第２の被取付面に当接する第２の取付片とを有している。このため、第２の取付片に締結部材を挿入する孔を設定しても、被取付部に形成する締結部材の取り付けスペースは、コネクタハウジングの挿入孔の貫通方向と一致する第１の被取付面の厚さの大小に係らず確保できる。
【００２９】
また、第１の取付片の取付面を第１の被取付面に圧接させる弾性復元力を備えた状態で第２の取付片が第２の被取付面に弾接するように、第２の取付片が締結部材により第２の被取付面と締結されている。このため、締結部材の締結力を変えても、第１の被取付面に対するシールドシェルの姿勢は変わらない。よって、第１の被取付面に対する接圧がシールドシェル（シールドシェルの第１の取付片）の全体に亘って確保されるように、締結部材でシールドシェルを被取付部に取り付けても、シールドシェルがコネクタハウジングと干渉することがなく、シールドシェルを大型する必要がない。
【００３０】
さらに、第２の被取付面に第２の取付片を弾接した状態で、第２の取付片を第２の被取付面と締結することができるため、簡単にシールドシェルを被取付部に取り付けることができる。
【００３１】
従って、被取付部に対する取付時の接圧を全体に亘って確保しつつ、小型化を図ることができるシールドシェルを提供することができる。
【図面の簡単な説明】
【００３２】
【図１】本発明の実施形態に係るシールドシェルコネクタの構成を示す斜視図である。
【図２】本発明の実施形態に係るコネクタハウジングを収容したシールドシェルを示す側面図である。
【図３】本発明の実施形態に係る被取付部に取り付けたシールドシェルを示す側面図である。
【図４】本発明の実施形態に係る被取付部に取り付けたシールドシェルの一部拡大図である。
【図５】従来のシールドシェルコネクタを示す斜視図である。
【図６】従来のシールドシェルの取付構造を示す側面図である。
【図７】従来のシールドシェルコネクタを示す側面図である。
【図８】従来のシールドシェルの取付構造を示す側面図である。
【発明を実施するための形態】
【００３３】
以下、本発明の実施形態に係るシールドシェル及びシールドシェルの取付構造について図面を参照して説明する。図１は、本発明の実施形態に係るシールドシェルコネクタの構成を示す斜視図である。図２は、本発明の実施形態に係るコネクタハウジングを収容したシールドシェルを示す側面図である。
【００３４】
また、図３は、本発明の実施形態に係る被取付部に取り付けたシールドシェルを示す側面図である。図４は、本発明の実施形態に係る被取付部に取り付けたシールドシェルの一部拡大図である。
【００３５】
本発明の実施形態に係るシールドシェルは、相手側コネクタハウジングに収容された一方の端子と電気的に接続する他方の端子を収容するコネクタハウジングを覆って締結部材の締め付けにより被取付部に取り付けられるシールドシェルである。
【００３６】
また、本発明の実施形態に係るシールドシェルの取付構造は、相手側コネクタハウジングに収容された一方の端子と電気的に接続する他方の端子を収容するコネクタハウジングと、コネクタハウジングを覆うシールドシェルと、コネクタハウジングを収容したシールドシェルが締結部材により取り付けられる被取付部と、を備えたシールドシェルの取付構造である。
【００３７】
図１から図４に示すように、シールドシェルの取付構造１は、コネクタハウジング１１及びシールドシェル２１とを備えるシールドシェルコネクタ１０と、シールドシェルコネクタ１０がネジ（締結部材）６０により取り付けられる被取付部７０とから略構成されている。
【００３８】
図１に示すように、シールドシェルコネクタ１０は、雄コネクタハウジングとして機能するコネクタハウジング１１と、コネクタハウジング１１を覆うシールドシェル２１と、シールドシェル２１内に収容されるリアホルダ３１と、コネクタハウジング１１に収容される端子４１と、端子４１を係止するフロントホルダ５１とから構成されている。
【００３９】
コネクタハウジング１１は、樹脂製で円柱形状に形成されたハウジング本体１２と、ハウジング本体１２に形成されて相手側コネクタハウジング（雌コネクタハウジング）に収容された一方の端子（図示省略）と電気的に接続する他方の端子（端子４１）を収容する端子収容室１３と、シールドシェル２１に係止する係止ロック１４とを有している。
【００４０】
シールドシェル２１は、コネクタハウジング１１を収容するシェル本体２２と、被取付部７０への取付方向（矢印Ａ方向）に交差する方向（矢印Ｂ方向）に設けられた第１の取付片２３と、第１の取付片２３の端部２４から突設した一対の第２の取付片２５と（片側省略）、被取付部７０への取付方向（矢印Ａ方向）に突出した突起部２６とを有している。
【００４１】
図２に示すように、第１の取付片２３は、被取付部７０のコネクタハウジング挿入孔７１´を有する第１の被取付面７１（後述する図３参照）に当接する第１の取付面２７を有している。
【００４２】
図１及び図２に示すように、第２の取付片２５は、第１の取付片２３の端部２４から第１の被取付面７１側（図１の矢印Ａ方向参照、後述する図３参照）に対して反対側（図１の矢印Ｃ方向参照）に突設している。
【００４３】
この第２の取付片２５は、被取付部７０の第２の被取付面７２（後述する図３参照）に当接する第２の取付面２８と、第２の取付片２５と第２の被取付面７２とを締結するネジ６０が挿入されるネジ孔（締結孔）２９が形成されている。
【００４４】
そして、第２の取付片２５の第２の取付面２８は、シールドシェル２１を被取付部７０に取り付ける際、ネジ孔２９に対応するネジ６０の締め付けによって第２の被取付面７２（後述する図３参照）と締結する。
【００４５】
第１の取付片２３と第２の取付片２５とは一体に形成されており、所定の弾性を有する材質で形成されている。そのため、第１の取付片２３と第２の取付片２５は、第１の被取付面７１又は第２の被取付面７２に当接することにより弾性変形するとともに弾性復元力によって、シールドシェル２１と被取付部７０との接圧を得る。
【００４６】
突起部２６は、第１の取付片２３が被取付部７０の第１の被取付面７１（後述する図３参照）に当接した際、第１の被取付面７１を被取付部７０への取付方向（図１の矢印Ａ方向参照）に押圧されて、第１の取付片２３と第１の被取付面７１との接圧を確保する。
【００４７】
また、シールドシェル２１は、図１に示すように、被取付部７０への取付方向（矢印Ａ方向）に交差する方向（矢印Ｂ方向）の一側に突起部２６が設けられ、他側に被取付部７０への取付方向に対して反対方向（矢印Ｃ方向）に第２の取付片２５が突設している。
【００４８】
図１に示すように、リアホルダ３１は、コネクタハウジング１１の端子収容室１２に収容した端子４１を支持及び固定するための挿通孔３２を有している。
【００４９】
端子（雄端子）４１は、相手側コネクタハウジング（雌コネクタハウジング、図示省略）に収容された雌端子（図示省略）と電気的に接続する端子部４２と、リアホルダ３１の挿通孔３２に当接するゴム栓４３と、端子部４２に接続された電線４４とを有している。
【００５０】
ゴム栓４３は、挿通孔３２に当接することにより、コネクタハウジング１１と電線４４との間への水等の浸入を防止する。また、電線４４は、リアホルダ３１の挿通孔３２に挿通されて、端子４１が支持及び固定される。
【００５１】
フロントホルダ５１は、コネクタハウジング１１の端子収容室１３に収容された端子４１の端子部４２が挿通されて端子部４２を係止する係止孔５２を有するフロントホルダ本体５３と、コネクタハウジング１１に嵌合してコネクタハウジング１１内への水等の浸入を防止するパッキン５４とを有している。
【００５２】
このパッキン５４は、フロントホルダ５１をコネクタハウジング１１に嵌合することにより、コネクタハウジング本体１２に固定される。
【００５３】
上述したように構成されたシールドシェルコネクタ１０は、図１及び図２に示すように、コネクタハウジング１１の端子収容室１３に端子４１を収容した状態で、コネクタハウジング１１の一側を係止ロック１４によりシールドシェル２１に係止して収容し、他側にフロントホルダ５１を嵌合することにより組み付ける。
【００５４】
次に、コネクタハウジング１１を、後述する被取付部７０のコネクタハウジング挿入孔７１´に挿入する。また、コネクタハウジング１１は、相手側コネクタハウジング（図示省略）と嵌合することにより、端子収容室１３に収容された端子４１と相手側コネクタハウジングに収容された端子（図示省略）とを接続する。
【００５５】
そして、図３に示すように、組み付けたシールドコネクタ１０をネジ孔２９に挿入されたネジ６０で被取付部７０に締結して取り付けることにより、被取付部７０とシールドシェル２１との間のノイズ漏れを防止する。
【００５６】
図３に示すように、シールドシェル２１は、第２の取付片２５の第２の取付面２８をネジ６０により第２の被取付面７２と締結することにより、第１の取付片２３の全体に亘って第１の被取付面７１との接圧を確保することができる。
【００５７】
さらに、第２の被取付面７２に第２の取付片２５の第２の取付面２８を弾接した状態で、第２の取付片２５の第２の取付面２８を第２の被取付面７２と締結することができるため、簡単にシールドシェル２１を被取付部７０に取り付けることができる。
【００５８】
つまり、ネジ６０により締結する方向がシールドシェル２１の取付方向（図１の矢印Ａ方向）に直交する方向（鉛直方向）であるため、シールドシェル２１やコネクタハウジング１１が邪魔になることがなく、ネジ孔２９の目視が容易となり作業性が向上する。
【００５９】
このように、シールドシェル２１は、被取付部７０の、コネクタハウジング挿入孔７１´を有する第１の被取付面７１に当接する第１の取付片２３と、第１の取付片２３の端部２４から第１の被取付面７１側に対して反対側に突設して被取付部７０の第２の取付面７２に当接する第２の取付片２５とを有している。
【００６０】
このため、第２の取付片２５にネジ６０を挿入する孔（ネジ孔２９）を設定しても、被取付部７０に形成するネジ６０の取り付けスペースは、コネクタハウジング挿入孔７１´の貫通方向と一致する第１の被取付面７１の厚さの大小に係らず確保できる。
【００６１】
また、第１の取付片２３の第１の取付面２７を第１の被取付面７１に圧接させる弾性復元力を備えた状態で第２の取付片２５の第２の取付面２８が第２の被取付面７２に弾接するように、シールドシェル２１が被取付部７０に取り付けられている。
【００６２】
このため、ネジ６０の締付力（締結力）を変えても、第１の被取付面７１に対するシールドシェルの姿勢は変わらない。つまり、ネジ６０の締付力を強めても、シールドシェル２１の被取付部７０に対する取り付け姿勢が、図３中右肩下がりの向きに傾くことがない。
【００６３】
よって、第１の被取付面７１に対する接圧がシールドシェル２１（シールドシェル２１の第１の取付片２３）の全体に亘って確保されるように、ネジ６０でシールドシェル２１を被取付部７０に取り付けても、シールドシェル２１がコネクタハウジング１１と干渉することがなく、シールドシェル２１を大型する必要がない。
【００６４】
さらに、第２の被取付面７２に第２の取付片２５の第２の取付面２８を弾接した状態で、第２の取付片２５の第２の取付面２８を第２の被取付面７２と締結することができるため、簡単にシールドシェル２１を被取付部７０に取り付けることができる。
【００６５】
図３に示すように、被取付部７０は、例えば、シールドケース（図示省略）の鉛直方向に配された外壁であり、導電性の金属材料から形成されている。シールドケース内には、例えば、三相交流のＡＣモータが収容され、このモータには、端子４１の電線４４を介してＡＣ／ＤＣコンバータからの電力が供給される。
【００６６】
この被取付部７０は、シールドシェル２１の第１の取付片２３の第１の取付面２７が当接される第１の被取付面７１と、シールドシェル２１の第２の取付片２５の第２の取付面２８が当接される第２の被取付面７２とを有している。
【００６７】
また、被取付部７０は、コネクタハウジング１１が挿入されるコネクタハウジング挿入孔７１´を有している。このコネクタハウジング挿入孔７１´には、一側にシールドシェル２１を収容し、他側にフロントホルダ５１を嵌合したコネクタハウジング１１が挿入される。
【００６８】
コネクタハウジング１１をコネクタハウジング挿入孔７１´に挿入すると、コネクタハウジング１１に嵌合したパッキン５４により、コネクタハウジング１１内への水等の浸入を防止する。
【００６９】
図４に示すように、シールドシェル２１の第１の取付片２３と第２の取付片２５とのなす角度（第１の角度）Ｘは、被取付部７０の第１の被取付面７１と第２の被取付面７２とのなす角度（第２の角度）Ｙよりも大きく設定されている。
【００７０】
具体的には、被取付部７０の第１の被取付面７１は、第２の被取付面７２に対して略直角になるように設定され、シールドシェル２１の第１の取付片２３は、第２の取付片２５に対して鈍角になるように設定されている。
【００７１】
このため、図３に示すように、シールドシェル２１を被取付部７０に取り付けると、第１の取付片２３の第１の取付面２７が第１の被取付面７１と当接し、第２の取付片２５の第２の取付面２８が第２の被取付面７２と当接する。
【００７２】
シールドシェル２１を被取付部７０に取り付け、コネクタハウジング１１のネジ孔２９にネジ６０を挿入して第２の取付片２５と第２の被取付面７２とを締結すると、第２の取付片２５が矢印Ｅ方向に変位するため、第１の取付片２３が矢印Ｆ方向に変位する。
【００７３】
つまり、第２の取付片２５と第２の被取付面７２とを締結すると、第１の取付片２３は、第２の取付片２５に対して角度Ｘ（図４参照）よりも小さくなるように弾性変形するが、それとともに、弾性復元力によって、取付片２３が矢印Ｆ方向に変位する。
【００７４】
そして、第１の取付片２３の第１の取付面２７を第１の被取付面７１に圧接させる弾性復元力を備えた状態で第２の取付片２５の第２の取付面２８が第２の被取付面７２に弾接するように、シールドシェル２１が被取付部７０に取り付けられる。
【００７５】
また、上述したように、第１の取付片２３と第２の取付片２５とのなす角度Ｘは、被取付部７０の第１の被取付面７１と第２の被取付面７２とのなす角度Ｙよりも大きく設定されているため、第１の取付片２３が矢印Ｆ方向に変位してシールドシェル２１の突起部２６に接圧が得られる。
【００７６】
上述したように、シールドシェルの取付構造１は、シールドシェル２１は、被取付部７０の、コネクタハウジング挿入孔７１´を有する第１の被取付面７１に当接する第１の取付片２３と、第１の取付片２３の端部２４から第１の被取付面７１側に対して反対側に突設して被取付部７０の第２の取付面７２に当接する第２の取付片２５とを有している。
【００７７】
このため、第１の取付片２３と第２の取付片２５のどちらにネジ孔を設定するとしても、被取付部７０に形成するネジ６０の取り付けスペースは、コネクタハウジング挿入孔７１´の貫通方向（図１の矢印Ａ方向）と一致する第１の被取付面７１の厚さの大小に係らず確保できる。
【００７８】
また、第１の取付片２３の第１の取付面２７を第１の被取付面７１に圧接させる弾性復元力を備えた状態で第２の取付片２５の第２の取付面２８が第２の被取付面７２に弾接するように、シールドシェル２１が被取付部７０に取り付けられている。
【００７９】
このため、ネジ６０の締付力（締結力）を変えても、第１の被取付面７１に対するシールドシェルの姿勢は変わらない。つまり、ネジ６０の締付力を強めても、シールドシェル２１の被取付部７０に対する取り付け姿勢が、図３中右肩下がりの向きに傾くことがない。
【００８０】
よって、第１の被取付面７１に対する接圧がシールドシェル２１（シールドシェル２１の第１の取付片２３）の全体に亘って確保されるように、ネジ６０でシールドシェル２１を被取付部７０に取り付けても、シールドシェル２１がコネクタハウジング１１と干渉することがなく、シールドシェル２１を大型する必要がない。
【００８１】
このようにして、本発明の実施形態に係るシールドシェルの取付構造１は、相手側コネクタハウジングに収容された一方の端子と電気的に接続する他方の端子４１を収容するコネクタハウジング１１と、コネクタハウジング１１を覆うシールドシェル２１と、コネクタハウジング１１を収容したシールドシェル２１が締結部材（ネジ）６０により取り付けられる被取付部７０と、を備えたシールドシェルの取付構造１であって、シールドシェル２１は、被取付部７０の、コネクタハウジング１１の挿入孔７１´を有する第１の被取付面７１に当接する第１の取付片２３と、第１の取付片２３の端部２４から第１の被取付面７１側に対して反対側に突設して被取付部７０の第２の取付面７２に当接する第２の取付片２５とを有し、第１の取付片２３と第２の取付片２５とのなす第１の角度は、第１の被取付面７１と第２の被取付面７２とのなす第２の角度よりも大きく設定され、第１の取付片２３の取付面２７を第１の被取付面７１に圧接させる弾性復元力を備えた状態で第２の取付片２５の取付面２８が第２の被取付面７２に弾接するように、シールドシェル２１が被取付部７０に取り付けられている。
【００８２】
また、本発明の実施形態に係るシールドシェルの取付構造１は、第２の取付片２５の第２の取付面２８は、締結部材（ネジ）６０により第２の被取付面７２と締結する。
【００８３】
本発明の実施形態に係るシールドシェル２１は、相手側コネクタハウジングに収容された一方の端子と電気的に接続する他方の端子４１を収容するコネクタハウジング１１を覆って締結部材（ネジ）６０の締め付けにより被取付部７０に取り付けられるシールドシェル２１であって、被取付部７０の、コネクタハウジング１１の挿入孔７１´を有する第１の被取付面７１に当接する第１の取付面２７を有する第１の取付片２３と、第１の取付片２３の端部２４から第１の被取付面７１側に対して反対側に突設して被取付部７０の第２の被取付面７２に当接する第２の取付片２５とを有し、第１の取付片２３と第２の取付片２５とのなす第１の角度は、第１の被取付面７１と第２の被取付面７２とのなす第２の角度よりも大きく設定され、第２の取付片２５には、第２の取付片２５と第２の被取付面７２とを締結する締結部材（ネジ）６０が挿入される締結孔（ネジ孔）２９が形成されている。
【００８４】
そして、本発明の実施形態に係るシールドシェル２１によれば、シールドシェル２１は、被取付部７０の、コネクタハウジング挿入孔７１´を有する第１の被取付面７１に当接する第１の取付片２３と、第１の取付片２３の端部２４から第１の被取付面７１側に対して反対側に突設して被取付部７０の第２の取付面７２に当接する第２の取付片２５とを有している。
【００８５】
このため、第２の取付片２５にネジ６０を挿入する孔（ネジ孔２９）を設定しても、被取付部７０に形成するネジ６０の取り付けスペースは、コネクタハウジング挿入孔７１´の貫通方向と一致する第１の被取付面７１の厚さの大小に係らず確保できる。
【００８６】
また、第１の取付片２３の第１の取付面２７を第１の被取付面７１に圧接させる弾性復元力を備えた状態で第２の取付片２５の第２の取付面２８が第２の被取付面７２に弾接するように、シールドシェル２１が被取付部７０に取り付けられている。
【００８７】
このため、ネジ６０の締付力（締結力）を変えても、第１の被取付面７１に対するシールドシェルの姿勢は変わらない。よって、第１の被取付面７１に対する接圧がシールドシェル２１（シールドシェル２１の第１の取付片２３）の全体に亘って確保されるように、ネジ６０でシールドシェル２１を被取付部７０に取り付けても、シールドシェル２１がコネクタハウジング１１と干渉することがなく、シールドシェル２１を大型する必要がない。
【００８８】
さらに、第２の被取付面７２に第２の取付片２５の第２の取付面２８を弾接した状態で、第２の取付片２５の第２の取付面２８を第２の被取付面７２と締結することができるため、簡単にシールドシェル２１を被取付部７０に取り付けることができる。
【００８９】
以上、本発明のシールドシェル及びシールドシェルの取付構造を図示の実施形態に基づいて説明したが、本発明はこれに限定されるものではなく、各部の構成は、同様の機能を有する任意の構成のものに置き換えることができる。
【００９０】
例えば、上述した本発明の実施形態では、締結部材はネジ６０の場合について説明したが、締結部材が、例えば、ボルトとナットから構成されていてもよい。
【産業上の利用可能性】
【００９１】
本発明は、被取付部に対する取付時の接圧を全体に亘って確保しつつ、さらに、シールドシェルの小型化を図る上で極めて有用である。
【符号の説明】
【００９２】
１      シールドシェルの取付構造
１０    シールドシェルコネクタ
１１    コネクタハウジング
２１    シールドシェル
２２    シェル本体
２３    第１の取付片
２４    端部
２５    第２の取付片
２６    突起部
２７    第１の取付面
２８    第２の取付面
２９    ネジ孔
３１    リアホルダ
４１    端子
５１    フロントホルダ
６０    ネジ
７０    被取付部
７１    第１の被取付面
７１´  コネクタハウジング挿入孔
７２    第２の被取付面
【図１】
0005847416.tif 000002
【図２】
0005847416.tif 000003
【図３】
0005847416.tif 000004
【図４】
0005847416.tif 000005
【図５】
0005847416.tif 000006
【図６】
0005847416.tif 000007
【図７】
0005847416.tif 000008
【図８】
0005847416.tif 000009